(57)【特許請求の範囲】
【請求項１】
固定子がモールド樹脂によりモールド成形されてモータフレームが形成され、前記固定子の内周側に回転子が回転自在に配されたインナーロータ型のモールドモータにおいて、
前記モータフレームの内周側に導電塗料が塗布され、
前記モータフレームの出力側と反出力側の両方に金属製のブラケットがそれぞれ設けられ、
前記出力側のブラケットと前記反出力側のブラケットには、前記回転子の回転軸を回転自在に支持するベアリングがそれぞれ取り付けられ、
前記出力側のブラケット或いは前記反出力側のブラケットのどちらか一方は、前記モータフレームに埋設され、
前記埋設されたブラケットの内周面に前記導電塗料が塗布され、
前記埋設されていないブラケットのモータフレームに取り付ける位置に前記導電塗料が塗布され、
前記出力側のブラケットと前記反出力側のブラケットとが、前記導電塗料によって短絡されている
ことを特徴とするモールドモータ。
【請求項２】
前記導電塗料が、透明導電塗料である
ことを特徴とする請求項１記載のモールドモータ。
【請求項３】
前記導電塗料が、前記モータフレームの内周側の全ての部分、または、一部分に塗布されている
ことを特徴とする請求項１記載のモールドモータ。
【請求項４】
前記モールドモータがブラシレスＤＣモータである
ことを特徴とする請求項１または３記載のモールドモータ。
【発明の詳細な説明】
【技術分野】
【０００１】
本発明は、インナーロータ型のモールドモータに関するものである。
【背景技術】
【０００２】
従来のブラシレスＤＣモータにおいては、駆動回路としてインバータ回路を用いたＰＷＭ制御を行っている（例えば、特許文献１参照）。
【０００３】
上記のようなＰＷＭ制御を行うブラシレスＤＣモータにおいて、電食が発生する可能性がある。電食の原因としては、ブラケットの電位がフレームを構成しているモールド樹脂に対し電位が浮いた形になるため、安定しないということに起因している。即ち、ＰＷＭ制御のように高周波で制御する場合には、出力側のボールベアリングの外輪と同電位の出力側のブラケット及び反出力側のボールベアリングの外輪と同電位の反出力側のブラケットの電位が変わると、ボールベアリングの内輪と外輪を介した循環電流が流れ、この循環電流によって電食が発生する。
【特許文献１】特開２００４−４８８２９公報
【発明の開示】
【発明が解決しようとする課題】
【０００４】
そこで、本発明は、インナーロータ型のモールドモータをインバータ回路でＰＷＭ制御を行っても、電食が発生しないモールドモータを提供する。
【課題を解決するための手段】
【０００５】
請求項１に係る発明は、固定子がモールド樹脂によりモールド成形されてモータフレームが形成され、前記固定子の内周側に回転子が回転自在に配されたインナーロータ型のモールドモータにおいて、前記モータフレームの内周側に導電塗料が塗布され、前記モータフレームの出力側と反出力側の両方に金属製のブラケットがそれぞれ設けられ、前記出力側のブラケットと前記反出力側のブラケットには、前記回転子の回転軸を回転自在に支持するベアリングがそれぞれ取り付けられ、前記出力側のブラケット或いは前記反出力側のブラケットのどちらか一方は、前記モータフレームに埋設され、前記埋設されたブラケットの内周面に前記導電塗料が塗布され、前記埋設されていないブラケットのモータフレームに取り付ける位置に前記導電塗料が塗布され、前記出力側のブラケットと前記反出力側のブラケットとが、前記導電塗料によって短絡されていることを特徴とするモールドモータである。
【０００６】
請求項２に係る発明は、前記導電塗料が、透明導電塗料であることを特徴とする請求項１記載のモールドモータである。
【０００７】
請求項３に係る発明は、前記導電塗料が、前記モータフレームの内周側の全ての部分、または、一部分に塗布されていることを特徴とする請求項１記載のモールドモータである。
【０００８】
請求項４に係る発明は、前記モールドモータがブラシレスＤＣモータであることを特徴とする請求項１または３記載のモールドモータである。
【発明の効果】
【０００９】
本発明であると、前記出力側のブラケットと前記反出力側のブラケットとが短絡されているため、電食が起こらない。
【発明を実施するための最良の形態】
【００１０】
（第１の実施形態）
以下、本発明の第１の実施形態のモールドモータ１０について、図１に基づいて説明する。このモールドモータ１０は、ブラシレスＤＣモータである。
【００１１】
図１は、モールドモータ１０の縦断面図である。
【００１２】
鋼板を積層した固定子鉄心１２にプレモールドを施すことにより絶縁層１４を形成し、この絶縁層１４にコイル１６が巻回されている。これによってリング状の固定子１８が形成される。
【００１３】
固定子１８の出力側の面には、ドーナツ状のプリント配線基板よりなる配線基板２０が設けられている。この配線基板２０は、絶縁層１４によって構成された支持壁に支持されている。配線基板２０には、モールドモータ１０を駆動する電子部品が取り付けられている。このモールドモータ１０は、ブラシレスＤＣモータであるため、インバータ回路、論理回路等の電子部品が取り付けられ、ＰＷＭ制御を行っている。また、外周部にコネクタ４０が取り付けられている。
【００１４】
上記のように配線基板２０と固定子１８をモールド樹脂によって一体成形され、モータフレーム２２が形成されている。このモータフレーム２２は、円筒状であり、また、出力側の面には、金属製のブラケット２４が一体に埋設されている。この出力側のブラケット２４の内周側は、モータフレーム２２から露出した状態となっている。
【００１５】
上記のようにして形成されたモータフレーム２２の内周面に、導電塗料３６を塗布する。この導電塗料３６を塗布する位置は、モータフレーム２２の内周面全てと、金属製のブラケット２４の内周面にも塗布する。導電塗料３６としては、例えば透明導電インクを塗布し乾燥させて硬化させる。なお、図１に示すように、反出力側のブラケット３４を取り付ける位置にも導電塗料３６を塗布しておく。
【００１６】
導電塗料３６が塗布されたモータフレーム２２の内周側に回転子２６が収納される。この回転子２６には、金属性の回転軸２８が貫通している。回転軸２８の出力側は、ベアリング３０を介してブラケット２４に回転自在に固定されている。
【００１７】
回転子２６の反出力側の回転軸２８は、ベアリング３２を介して反出力側の金属製のブラケット３４に取り付けられている。このブラケット３４はモータフレーム２２の反出力側の面に嵌合している。
【００１８】
また、モータフレーム２２の出力側と反出力側に振動防止用のゴム３８，４０を取り付ける。
【００１９】
上記構成のモールドモータ１０であると、ベアリング３０が取り付けられている金属製のブラケット２４と、ベアリング３２が取り付けられている金属製のブラケット３４とは、導電塗料３６を介して電気的に短絡されている。そのため、両ブラケット２４、３４の電位が同じとなり、循環電流が発生することがなく、ベアリング３０，３２において電食が発生することがない。
【００２０】
なお、上記実施形態ではモータフレーム２２の内周面全てに導電塗料３６を塗布したが、これに限らず、両ブラケット２４、３４を短絡できる部分にだけ塗布してもよい。
【００２１】
（第２の実施形態）
第２の実施形態のモールドモータ１０について、図２及び図３に基づいて説明する。
【００２２】
本実施形態と第１の実施形態の異なる点は、両ブラケット２４、３４を短絡する構造にある。
【００２３】
本実施形態のモールドモータ１０においては、図２に示すようにモータフレーム２２にモールド樹脂によって埋設される配線基板２０と、出力側の金属製のブラケット２４とが、接触してモールドされている。
【００２４】
また、配線基板２０は、図３に示すようにドーナツ状であり、金属製のブラケット２４が接触する位置に銅製の配線パターン３８がリング状に露出している。配線基板２０はプリント配線基板であるため、ブラケット２４が接触する箇所のレジストを行わず、銅薄膜部分が露出するようにする。この配線パターン３８から、配線基板２０の外周部に設けられたコネクタ４０に向かって接続パターン４２が設けられている。このコネクタ４０は、配線基板２０からモールドモータ１０の外方に向かって電源や信号線等のリード線４４が突出するものであるが、これに加えて接続パターン４２と電気的に接続されたリード線４６も引き出されている。このリード線４６は、図２に示すようにモールドモータ１０の外方から金属製のブラケット３４に接続されている。
【００２５】
これによって、ブラケット２４は、配線基板２０の配線パターン３８、接続パターン４２、コネクタ４０、リード線４６を経てブラケット３４と電気的に短絡されている。
【００２６】
本実施形態のモールドモータであると、上記のようにブラケット２４，３４が短絡されているため、両ブラケット２４，３４が同電位となり、ベアリング３０，３２に電食が発生することがない。
【図面の簡単な説明】
【００２７】
【図１】本発明の第１の実施形態のモールドモータの縦断面図である。
【図２】第２の実施形態のモールドモータの縦断面図である。
【図３】配線基板の平面図である。
【符号の説明】
【００２８】
１０  モールドモータ
１８  固定子
２２  モータフレーム
２４  ブラケット
２６  回転子
２８  回転軸
３０  ベアリング
３２  ベアリング
３４  ブラケット
３６  導電塗料
３８  配線パターン
４０  コネクタ
４２  接続パターン
４６  リード線
【図１】
0004809654.tif 000002
【図２】
0004809654.tif 000003
【図３】
0004809654.tif 000004